(57)【要約】【課題】交代浴が可能であって騒音対策が施された渦流浴装置を提供する。【解決手段】水治療を行うための渦流浴装置は、患部が入れられる第１槽１０と、第１槽１０に隣接配置され、患部が入れられる第２槽２０と、第１槽１０内の水を循環させるための循環部５０と、を備える。循環部５０は、第１槽１０内の水を循環させる第１モードと、当該循環部５０内で水を循環させる第２モードとに切替可能である。【選択図】図３
2018075238.tif 000002
【特許請求の範囲】
【請求項１】
水治療を行うための渦流浴装置であって、
患部が入れられる第１槽と、
前記第１槽に隣接配置され、患部が入れられる第２槽と、
前記第１槽内の水を循環させるための循環部と、
を備え、
前記循環部は、前記第１槽内の水を循環させる第１モードと、当該循環部内で水を循環させる第２モードとに切替可能である、渦流浴装置。
【請求項２】
前記循環部は、
ポンプと、
切替弁と、
前記第１槽に設けられる開口部と、前記ポンプの吸込口とを接続する第１配管と、
前記ポンプの吐出口と、前記切替弁の入口とを接続する第２配管と、
前記切替弁の第１出口と、前記第１槽に設けられるノズルとを接続する第３配管と、
前記切替弁の第２出口と、前記第１配管とを接続する第４配管と、
を有し、
前記切替弁は、前記入口と前記第１出口とが繋がる第１状態と、前記入口と前記第２出口とが繋がる第２状態とに切替可能であり、
前記切替弁が前記第１状態である場合に前記第１モードとなり、前記切替弁が前記第２状態である場合に前記第２モードになる、請求項１に記載の渦流浴装置。
【請求項３】
空気を前記ノズルに送るための空気配管を更に有し、
前記空気配管は、前記第３配管に接続される、請求項２に記載の渦流浴装置。
【請求項４】
前記切替弁を制御する制御部を更に備える、請求項２又は３に記載の渦流浴装置。
【請求項５】
前記制御部は、患者が前記第１槽を使用開始すべき第１タイミングと、患者が前記第２槽を使用開始すべき第２タイミングとを認識可能に設けられ、
前記制御部は、前記第１タイミグと認識した場合に、前記循環部を前記第１モードとし、前記第２タイミグと認識した場合に、前記循環部を前記第２モードとする、請求項４に記載の渦流浴装置。
【請求項６】
前記制御部は、前記第１槽と前記第２槽とを交互に使用する交代浴治療の時間管理を可能に設けられ、
当該装置は、
前記交代浴治療全体が終了するまでの残り時間を表示する第１時間表示部と、
前記第１槽又は前記第２槽を使用した治療が終了するまでの残り時間を表示する第２時間表示部と、
を更に備える、請求項４又は５に記載の渦流浴装置。
【請求項７】
報知音を出力する報知音出力部を更に備え、
前記制御部は、前記報知音出力部を制御して、前記第２時間表示部の表示がゼロとなるタイミングで報知音を出力させる、請求項６に記載の渦流浴装置。
【請求項８】
前記第１槽に溜められた水に熱を加えるためのヒーターを更に備え、
前記第１槽は温浴槽であり、
前記第２槽は、前記第１槽に溜められる水より温度の低い水を溜める冷浴槽である、請求項１から７のいずれか１項に記載の渦流浴装置。
【発明の詳細な説明】
【技術分野】
【０００１】
本発明は、渦流浴装置に関する。
【背景技術】
【０００２】
従来、上肢や下肢の水治療を行うための渦流浴装置が知られる（例えば特許文献１、２参照）。渦流浴装置は、患部が入れられる浴槽を有する。浴槽の内壁には、ノズルが設けられる。渦流浴装置は、ポンプを含んで浴槽内の水を循環させる循環装置を備える。循環装置による水の循環により、ノズルから水が吐出されて、浴槽内には噴流が生じる。
【０００３】
また、従来、手冷水槽と、手温水槽と、足冷水槽と、足温水槽とを含む手足温冷浴器が知られる（例えば特許文献３参照）。手冷水槽は、使用者の左右どちらか一方の手腕部を浸す冷水で満たされる。手温水槽は、使用者の他方の手腕部を浸す温水で満たされる。足冷水槽は、使用者の左右どちらか一方の足部を浸す冷水で満たされる。足温水槽は、使用者の他方の足部を浸す温水で満たされる。手足温冷浴器は、手冷水槽と手温水槽との位置を入れ替える手水槽回転手段と、足冷水槽と足温水槽との位置を入れ替える足水槽回転手段と、を含む。これら回転手段の使用により、使用者は、手足を温水中と冷水中とに交互に浸す交代浴を行うことができる。
【先行技術文献】
【特許文献】
【０００４】
【特許文献１】特開２００１−６１９３９号公報
【特許文献２】特開２００３−３１０６９０号公報
【特許文献３】特開２００３−１２６２１５号公報
【発明の概要】
【発明が解決しようとする課題】
【０００５】
従来の渦流浴装置に、温水と冷水とを用いた交代浴を行えるように、温浴槽と冷浴槽とを設けることが考えられる。このような構成においては、例えば患者が冷浴槽を使用している場合に温浴槽のノズルから水を吐出させたままにすると、空気を混ぜた噴流発生に伴うキャビテーション音や水はね音等がうるさく感じられる可能性がある。
【０００６】
上記騒音対策として、例えば温浴槽の水を循環させるポンプの電源を、温浴槽の使用状況に応じてオンオフすることが考えられる。しかしながら、渦流浴装置では、複数設けられるノズルのそれぞれから十分な噴流力を安定して得られるように、通常はＡＣポンプが使用される。ＡＣポンプは、頻繁にオンオフする使い方に向いていない。この点を考慮して、ＡＣポンプに代えてＤＣポンプを使用することが考えられる。しかし、この場合には、十分な噴流力を安定して得るために、例えば特許文献２に示されるようにノズル毎にポンプを配置する必要が生じ、装置の大型化や高コスト化が懸念される。
【０００７】
以上の点に鑑みて、本発明は、交代浴が可能であって騒音対策が施された渦流浴装置を提供することを目的とする。
【課題を解決するための手段】
【０００８】
上記目的を達成するために本発明の渦流浴装置は、水治療を行うための渦流浴装置であって、患部が入れられる第１槽と、前記第１槽に隣接配置され、患部が入れられる第２槽と、前記第１槽内の水を循環させるための循環部と、を備え、前記循環部は、前記第１槽内の水を循環させる第１モードと、当該循環部内で水を循環させる第２モードとに切替可能である構成（第１の構成）になっている。
【０００９】
本構成によれば、渦流浴装置が第１槽と第２槽とを備えるために、患者は、当該渦流浴装置を用いて患部を温水と冷水とに交互に浸す交代浴治療を行うことができる。また、本構成によれば、循環部を、当該循環部内で水を循環させる第２のモードに切り替えることができる。第２モードでは、循環部の駆動によって第１槽内に水が吐出されることはない。このために、患者が第１槽を使用しない場合に、循環部を第２モードに切り替えることによって、第１槽においてキャビテーション音や水はね音が発生することを防止できる。
【００１０】
上記第１の構成の渦流浴装置において、前記循環部は、ポンプと、切替弁と、前記第１槽に設けられる開口部と、前記ポンプの吸込口とを接続する第１配管と、前記ポンプの吐出口と、前記切替弁の入口とを接続する第２配管と、前記切替弁の第１出口と、前記第１槽に設けられるノズルとを接続する第３配管と、前記切替弁の第２出口と、前記第１配管とを接続する第４配管と、を有し、前記切替弁は、前記入口と前記第１出口とが繋がる第１状態と、前記入口と前記第２出口とが繋がる第２状態とに切替可能であり、前記切替弁が前記第１状態である場合に前記第１モードとなり、前記切替弁が前記第２状態である場合に前記第２モードになる構成（第２の構成）であるのが好ましい。本構成では、ポンプの電源をオフすることなく、切替弁の状態の切替えによって、ノズルから水が吐出させることを停止することができる。このために、患者が第１槽を使用しない場合に、第１槽においてキャビテーション音や水はね音が発生することを防止できる。本構成において、ポンプは、交流電源によって駆動するＡＣポンプであるのが好ましい。これにより、第１槽が使用される場合に、１台のポンプで複数箇所から十分な噴流量を安定して噴出することができるとともに、第１槽が使用されない場合に、ポンプの電源をオフすることなく、余計な騒音が発生することを防止できる。
【００１１】
上記第２の構成の渦流浴装置は、空気を前記ノズルに送るための空気配管を更に有し、前記空気配管は、前記第３配管に接続される構成（第３の構成）であるのが好ましい。本構成によれば、ノズルから空気を噴出させて、空気によって患部を刺激することができる。また、本構成では、循環部の作用によって水が流れる方向を基準として、切替弁が空気配管より上流側に位置するために、空気配管を介してポンプに空気が入り込む可能性を低くできる。これにより、余計な騒音が発生することを防止できる。
【００１２】
上記第２又は第３の構成の渦流浴装置は、前記切替弁を制御する制御部を更に備える構成（第４の構成）であるのが好ましい。本構成によれば、切替弁を自動的に切り替えることができる。
【００１３】
上記第４の構成の渦流浴装置において、前記制御部は、患者が前記第１槽を使用開始すべき第１タイミングと、患者が前記第２槽を使用開始すべき第２タイミングとを認識可能に設けられ、前記制御部は、前記第１タイミグと認識した場合に、前記循環部を前記第１モードとし、前記第２タイミグと認識した場合に、前記循環部を前記第２モードとする構成（第５の構成）であってよい。前記制御部は、例えば、交代浴治療を行うために予めメモリに記憶されたプログラムが実行されている場合に、当該プログラム処理にしたがって、患者が第１槽又は第２槽を使用開始すべきタイミングを認識することができる。
【００１４】
上記第４又は第５の構成の渦流浴装置において、前記制御部は、前記第１槽と前記第２槽とを交互に使用する交代浴治療の時間管理を可能に設けられ、当該装置は、前記交代浴治療全体が終了するまでの残り時間を表示する第１時間表示部と、前記第１槽又は前記第２槽を使用した治療が終了するまでの残り時間を表示する第２時間表示部と、を更に備える構成（第６の構成）であってよい。前記制御部は、例えば、交代浴治療を行うために予めメモリに記憶されたプログラムが実行されている場合に、当該プログラム処理にしたがって治療時間を管理することができる。本構成では、患者は、２つの時間表示部を見ることによって、交代浴治療全体の時間だけでなく、各槽を使用した治療時間をも把握することができる。このために、交代浴治療を行う際に、別途タイマーを準備する必要がない。
【００１５】
上記第６の構成の渦流浴装置は、報知音を出力する報知音出力部を更に備え、前記制御部は、前記報知音出力部を制御して、前記第２時間表示部の表示がゼロとなるタイミングで報知音を出力させる構成（第７の構成）であってよい。本構成によれば、患者は報知音によって、第１槽又は第２槽を使用した治療の終了時間を認識することができ、交代浴治療を適切に行うことができる。
【００１６】
上記第１から第７のいずれかの構成の渦流浴装置は、前記第１槽に溜められた水に熱を加えるためのヒーターを更に備え、前記第１槽は温浴槽であり、前記第２槽は、前記第１槽に溜められる水より温度の低い水を溜める冷浴槽である構成（第８の構成）が好ましい。
【発明の効果】
【００１７】
本発明によれば、交代浴が可能であって騒音対策が施された渦流浴装置を提供することができる。
【図面の簡単な説明】
【００１８】
【図１】本発明の実施形態に係る渦流浴装置の構成を示す概略斜視図
【図２】本発明の実施形態に係る渦流浴装置の構成を示す概略上面図
【図３】本発明の実施形態に係る渦流浴装置が備える循環部の構成を示す模式図
【図４】本発明の実施形態に係る渦流浴装置の構成を示すブロック図
【図５】本発明の実施形態に係る渦流浴装置が備える表示部の構成例を示す模式図
【図６】本発明の実施形態に係る渦流浴装置を用いて患者が治療を行う様子を示す概略斜視図
【図７】本発明の実施形態に係る渦流浴装置を用いて患者が交代浴治療を行う場合の表示部の変化を時系列的に示す模式図
【発明を実施するための形態】
【００１９】
以下、本発明の実施形態に係る渦流浴装置について、図面を参照しながら詳細に説明する。本実施形態の渦流浴装置は、一例として、上肢の水治療を行うための渦流浴装置である。患者は、渦流浴装置によって、肘や手首の治療を行うことができる。
【００２０】
図１は、本発明の実施形態に係る渦流浴装置１の構成を示す概略斜視図である。図２は、本発明の実施形態に係る渦流浴装置１の構成を示す概略上面図である。図１及び図２に示すように、渦流浴装置１は、第１槽１０と、第２槽２０とを備える。第１槽１０及び第２槽１１の外周は、ケーシング３０によって纏めて覆われる。
【００２１】
第１槽１０は、上面視において略矩形状である。第１槽１０の長手方向一方側の縁上面１０ａには、表示操作部４０が設けられる。表示操作部４０は、例えばタイマー表示を含む各種の表示を行う表示部を含む。表示部の詳細にはついては後述する。表示操作部４０は、各種の設定を行う操作ボタンを含む。
【００２２】
第１槽１０には、患部が入れられる。本実施形態においては、患部は上肢である。詳細には、第１槽１０には、水（入浴剤等の添加物が含まれてもよい）が溜められる。渦流浴装置は、図１及び図２において不図示のヒーターを備える。ヒーターは、第１槽１０に溜められた水に熱を加えて温めることができる。すなわち、第１槽１０は、温められた水を溜める温浴槽として機能することができる。なお、ヒーターは、例えば、第１槽１０の下部や側部に配置される。
【００２３】
第１槽１０の側壁には、複数のノズル１１が設けられる。本実施形態では、第１槽１０の長手方向一方側の側壁１０ｂに、短手方向に並ぶ２つのノズル１１が設けられる。また、第１槽１０の長手方向他方側の側壁１０ｃに、短手方向に並ぶ３つのノズル１１が設けられる。詳細には、これら３つのノズル１１のうち、中央のノズル１１は、両端のノズル１１より低い位置に設けられる。なお、ノズル１１の数及び配置は例示にすぎず、これらは適宜変更されてよい。ノズル１１の数は複数に限らず、場合によっては１つでもよい。
【００２４】
第１槽１０の底面には、図２に示すように、第１槽１０に溜められた水を外部に排水可能とする排水部１２が設けられる。排水部１２は、詳細には、排水口と、排水口を開閉する水栓とによって構成される。本実施形態では、水栓はポップアップ式の水栓である。ただし、水栓は、ポップアップ式の水栓に限らず、他の公知の水栓であってよい。
【００２５】
第２槽２０は、第１槽１０に隣接配置される。詳細には、第２槽２０は、第１槽１０の長手方向他方側に隣接配置される。本実施形態では、第２槽２０は、上面視において略矩形状である。渦流浴装置１の長手方向（図２の左右方向）において、第２槽２０の幅は、第１槽１０の幅に比べて小さい。渦流浴装置１の短手方向（図２の上下方向）において、第２槽２０の幅は、第１槽１０の幅に比べて大きい。第２槽２０は、第１槽１０に比べて深さが浅い。
【００２６】
本実施形態では、第２槽２０は、ノズルを有しない。第２槽２０は、底面に排水部２１を有する。排水部２１は、詳細には、排水口と、排水口を開閉する水栓とによって構成される。本実施形態では、水栓は第２槽２０の側壁に一端が取り付けられるチェーン２２の他端に取り付けられる。水栓は、チェーン２２を引っ張ることによって排水口から外すことができる。なお、水栓は、ポップアップ式の水栓等、他の公知の水栓であってもよい。
【００２７】
第２槽２０には、患部が入れられる。本実施形態においては、患部は上肢である。第２槽２０には、ノズル及びヒーターが取り付けられていない。第２槽２０は、第１槽１０に溜められる水よりも温度の低い水を溜める冷浴槽として機能することができる。
【００２８】
渦流浴装置１は、図１及び図２において不図示の循環部を備える。循環部は、第１槽１０内の水を循環させるために設けられる。より詳細には、循環部は、第１槽１０内の水を循環させる第１モードと、当該循環部内で水を循環させる第２モードとに切替え可能である。本実施形態では、循環部は、ケーシング３０の内部に収容される。
【００２９】
図３は、本発明の実施形態に係る渦流浴装置１が備える循環部５０の構成を示す模式図である。図３に示すように、循環部５０は、ポンプ５１と、切替弁５２と、第１配管５３と、第２配管５４と、第３配管５５と、第４配管５６とを有する。ポンプ５１は、第１槽１０から水を取り込み、ノズル１１から水を吐出させるための駆動部として機能する。詳細には、ポンプ５１はウォーターポンプである。ポンプ５１は、交流電源で駆動するＡＣポンプである。各配管５３〜５６は、例えば金属又は樹脂によって構成される。
【００３０】
第１配管５３は、第１槽１０に設けられる開口部１０ｄと、ポンプ５１の吸込口５１ａとを接続する。第２配管５４は、ポンプ５１の吐出口５１ｂと、切替弁５２の入口５２ａとを接続する。第３配管５５は、切替弁５２の第１出口５２ｂと、第１槽１０に設けられるノズル１１とを接続する。なお、図３においては、本来複数あるノズル１１を便宜的に１つだけ示している。第４配管５６は、切替弁５２の第２出口５２ｃと、第１配管５３とを接続する。なお、第１配管５３と第４配管５６との接続は、例えばカプラーを用いた接続でもよいし、配管が金属製である場合には溶接による接続でもよい。
【００３１】
本実施形態において、切替弁５２は電動式である。切替弁５２は、例えば電磁弁であってよい。切替弁５２は、入口５２ａと第１出口５２ｂとが繋がる第１状態と、入口５２ａと第２出口５２ｃとが繋がる第２状態とに切替可能である。切替弁５２が第１状態である場合、ポンプ５１から吐出された水は、第３配管５５を通ってノズル１１から第１槽１０内に吐出する。すなわち、切替弁５２が第１状態である場合、循環部５０は、第１槽１０内の水を循環させる第１モードになる。一方、切替弁５２が第２状態である場合、ポンプ５１から吐出された水は、第４配管５６を通って第１配管５３に戻る。すなわち、切替弁５２が第２状態である場合、循環部５０は、当該循環部５０内で水を循環させる第２モードになる。第２モードでは、ポンプ５１から吐出された水は、ノズル１１には至らない。
【００３２】
なお、本実施形態では、渦流浴装置１は、空気をノズル１１に送るための空気配管５７を備える。空気配管５７の一端は、空気取込口５８に接続され、他端は第３配管５５に接続される。なお、第３配管５５と空気配管５７との接続は、例えばカプラーを用いた接続でもよいし、配管が金属製である場合には溶接による接続であってもよい。空気配管５７の途中位置には、絞り弁５９が取り付けられている。絞り弁５９の調整によって、ノズル１１に供給される空気量を調節することができる。第１モードである場合、絞り弁５９が開かれていれば、ノズル１１から水と空気の混合物が吐出される。
【００３３】
図４は、本発明の実施形態に係る渦流浴装置１の構成を示すブロック図である。図４に示すように、渦流浴装置１は制御部６０を有する。詳細には、制御部６０は、マイクロコンピュータ（以下マイコンという）と、各種のプログラムを記憶するメモリとを備える。制御部６０は、操作部４１からの入力される情報に基づいて各部を制御する。なお、操作部４１は、例えば表示操作部４０に含まれる操作ボタンである。操作ボタンは複数であってよい。操作部４１は、当該操作ボタンに加えて、或いは、当該操作ボタンに代えて、例えばリモートコントローラ等であってもよい。
【００３４】
制御部６０は、操作部４１によって設定される第１槽１０の水温に基づいてヒーター１３を制御する。また、制御部６０は、例えば操作部４１からの治療開始指令等によって、ポンプ５１の駆動を制御する。また、制御部６０は、操作部４１からの情報に応じて表示部４２を制御する。本実施形態では、表示部４２は、第１時間表示部４２１と、第２時間表示部４２２と、治療槽表示部４２３とを備える。
【００３５】
図５は、本発明の実施形態に係る渦流浴装置１が備える表示部４２の構成例を示す模式図である。本実施形態では、表示部４２は、表示操作部４０（図１及び図２参照）内に設けられる。図５に示すように、本実施形態では、表示部４２に含まれる第１時間表示部４２１と、第２時間表示部４２２と、治療槽表示部４２３とは、横一列に並ぶ。
【００３６】
制御部６０は、第１槽１０と第２槽２０とを交互に使用する交代浴治療の時間管理を可能に設けられ、当該時間管理にしたがって、第１時間表示部４２１と第２時間表示部４２２との時間表示を制御することができる。詳細には、第１時間表示部４２１は、治療全体が終了するまでの残り時間を示す表示部として機能できる。第２時間表示部４２２は、第１槽１０又は第２槽２０を使用した治療が終了するまでの残り時間を表示する表示部として機能できる。第１時間表示部４２１及び第２時間表示部４２２の時間表示は、例えば蛍光表示管を用いて実現できる。ただし、これは例示であり、時間表示には、例えばＬＥＤパネル、液晶パネル、ＥＬパネル等が利用されてもよい。
【００３７】
治療槽表示部４２３は、第１槽１０と第２槽２０とのうち、患者が治療に使用すべき槽を示す。治療槽表示部４２３は、第１槽１０を示すマーク４２３ａと、第２槽２０を示すマーク４２３ｂとで構成される。２つのマーク４２３ａ、４２３ｂは、２つの槽１０、２０の並びに対応させた並びで配置され、更に、各槽１０、２０に対応した形状になっている。各マークに対応して、不図示の光源が配置される。各マーク４２３ａ、４２３ｂは光を透過する。制御部６０は、治療に用いる側のマークに対応する光源を点灯して、治療に使用すべき槽がいずれであるかを示す。各マーク４２３ａ、４２３ｂに対応して設けられる２つの光源が発する光の色は同じでもよいが、異なる色としてもよい。本実施形態では、第１槽側のマーク４２３ａは赤色で照らされ、第２槽側のマーク４２３ｂは青色で照らされる。
【００３８】
図４に示すように、制御部６０は切替弁５２を制御する。制御部６０は、患者が第１槽１０を使用開始すべき第１タイミングと、患者が第２槽２０を使用開始すべき第２タイミングとを認識可能に設けられる。制御部６０は、例えば、交代浴治療用のプログラムの処理にしたがって各槽１０、２０を使用開始すべきタイミングを認識する。制御部６０は、第１タイミングと認識した場合に、切替弁５２を上述の第１状態とし、循環部５０を上述の第１モードとする。また、制御部６０は、第２タイミングと認識した場合に、切替弁５２を上述の第２状態とし、循環部５０を上述の第２モードとする。
【００３９】
図４に示すように、渦流浴装置１は報知音出力部７０を備える。詳細には、報知音出力部７０はスピーカーであり、渦流浴装置１の適所に取り付けられる。制御部６０は、報知音出力部７０を制御する。制御部６０は、例えば、第２時間表示部４２２の表示がゼロとなるタイミングで報知音出力７０に報知音を報知させる。報知音は、例えば、音声でもよいし、電子音であってもよい。その他、制御部６０は、例えば、第１時間表示部４２１の表示がゼロとなるタイミングで報知音出力部７０に報知音を報知させてもよい。
【００４０】
次に、以上のように構成される渦流浴装置１の使用例について説明する。図６は、本発明の実施形態に係る渦流浴装置１を用いて患者２が治療を行う様子を示す概略斜視図である。第１槽１０には、温水が溜められる。第１槽１０に溜められる温水は、ヒーター１３によって所定の温度に維持される。第２槽２０には、冷水が溜められる。第２槽２０には、例えば水道水がそのまま溜められてもよいが、氷等を使用して水道水より冷たい水が溜められてもよい。
【００４１】
図６に示すように、患者２は、例えば渦流浴装置１の側方に配置される椅子３に座る。患者２は、椅子３に座った状態で、左右のいずれかの上肢（患部）を第１槽１０又は第２槽２０に入れる。図６に示す例では、患者２は右側の上肢を第１槽１０に入れている。なお、第１槽１０は、循環部５０の作動によって噴流が生じた状態で使用される。患者２は、表示部４２の表示にしたがって、患部を第１槽１０と第２槽２０とに交互に入れて交代浴治療を行う。
【００４２】
図７は、本発明の実施形態に係る渦流浴装置１を用いて患者２が交代浴治療を行う場合の表示部４２の変化を時系列的に示す模式図である。（ａ）〜（ｆ）の順に、時間が経過する。なお、図７は、交代浴治療の一例を示すに過ぎない。
【００４３】
図７（ａ）は、交代浴治療が開始する前の状態を示す。図７（ａ）に示すように、本例では、第１時間表示部４２１が１９分を示しており、患者２は交代浴治療のトータル時間が１９分であることを認識できる。また、治療槽表示部４２３は第１槽側のマーク４２３ａが点灯しており、患者２は最初に使用する治療槽が第１槽１０であることを認識できる。そして、第２時間表示部４２２が５分を示しており、患者２は、まず、第１槽１０を使用した治療（温浴）を５分行えばよいことを認識できる。
【００４４】
患者２は、例えば操作部４１に含まれる治療開始ボタン（不図示）を押す。これにより、第１時間表示部４２１及び第２時間表示部４２２の残り時間が減り始める。また、循環部５０が作動して、第１槽１０内に噴流が生じる。第２時間表示部４２２の時間表示がゼロになると、図７（ｂ）に示すように、治療槽表示部４２３は、第１槽側のマーク４２３ａの点灯が終了し、第２槽側のマーク４２３ｂが点灯した状態になる。また、第２時間表示部４２２は、第２槽２０を用いた治療の残り時間を示した状態になる。なお、表示の変更と同時に、第２時間表示部４２２で表示される時間のカウントは始まっている。また、第１時間表示部４２１は、交代浴治療の残り時間表示を継続する。患者２は、表示部４２の表示にしたがって、第２槽２０を使用した治療（冷浴）を行えばよいことを認識できる。
【００４５】
本実施形態では、治療槽を変更するタイミングで、第２時間表示部４２２及び治療槽表示部４２３の表示が変更されるだけではなく、報知音出力部７０によって報知音も報知される。このために、患者２は、患部を入れる治療槽を第１槽１０から第２槽２０に移す必要があることをより確実に認識することができる。
【００４６】
更に、本実施形態では、患者２が第２槽２０を使用開始すべき第２タイミングとなると、制御部６０は、そのことを認識して切替弁５２を制御し、循環部５０を第２モードとする。このために、第１槽１０においては、ノズル１１から水が吐出されなくなり噴流が停止する。患者２は、このことによっても、治療槽を第１槽１０から第２槽２０に変更する必要があることを認識できる。第２槽２０を用いた治療が行われる間、第１槽１０における噴流が停止する。このために、キャビテーション音や水はね音等の騒音を抑制して第２槽２０を使用した治療（冷浴）を行うことができる。なお、本実施形態では、循環部５０の作用によって水が流れる方向を基準として、空気配管５７の液配管への接続箇所よりも切替弁５２が上流にある。このために、循環部５０内で水を循環させた場合において、空気配管５７を介してポンプ５１に空気が入り込む可能性は殆どない。すなわち、本実施形態によれば、ポンプ５１から余計な騒音が発生する可能性を低くできる。
【００４７】
第２槽２０を用いた治療を開始すべきタイミング（図７（ｂ）に示す状態）から時間が経過して、第２時間表示部４２２の時間表示がゼロになる。すると、図７（ｃ）に示すように、治療槽表示部４２３は、第２槽側のマーク４２３ｂの点灯を終了し、第１槽側のマーク４２３ａを点灯した状態になる。また、第２時間表示部４２２は、第１槽１０を用いた治療の残り時間を示した状態になる。なお、表示の変更と同時に、第２時間表示部４２２で表示される時間のカウントは始まっている。この時点でも、第１時間表示部４２１は、交代浴治療の残り時間表示を継続している。
【００４８】
患者２は、第２時間表示部４２２及び治療槽表示部４２３の表示変更、並びに、報知音によって、患部を入れる治療槽を第２槽２０から第１槽１０に移す必要があることを認識できる。また、患者２が第１槽１０を使用開始すべき第１タイミングとなると、制御部６０は、そのことを認識して切替弁５２を制御し、循環部５０を第１モードとする。このために、第１槽１０においては、ノズル１１から水が噴出され、噴流が生じる。患者２は、このことによっても、治療槽を第２槽２０から第２槽１０に変更する必要があることを認識できる。
【００４９】
以後、同様にして、図７（ｄ）、図７（ｅ）の状態を経過し、患者２は、表示部４２の確認等を行いながら患部の交代浴治療を進めることができる。交代浴治療の残り時間がゼロとなると、第１時間表示部４２１及び第２時間表示部４２２がゼロを示し、治療槽表示部４２３は消灯する。これによって、患者２は、交代浴治療の終了を認識でき、患部を水から引き上げて治療を終了する。なお、治療時間終了の段階で、制御部６０によって切替弁５２が制御されて、第２モードにされてもよい。これによっても、患者２は、治療の終了を認識することができる。また、循環部５０が第２モードになることによって、治療が行われていない状態において、騒音が発生することを抑制できる。
【００５０】
以上に示した実施形態は、本発明の例示にすぎない。以上に示した実施形態の構成は、本発明の技術的思想を超えない範囲で適宜変更されてよい。また、本明細書に記載される複数の実施形態と変形例とは、可能な範囲で適宜組み合わせて実施されてよい。
【００５１】
渦流浴装置１が、第２槽２０に溜められた水を冷却する冷却装置を備える構成としてもよい。
【００５２】
また、渦流浴装置１は、交代浴治療以外の目的で使用されてもよい。
【００５３】
また、本発明は、上肢用の渦流浴装置に限らず、下肢用や、上肢及び下肢用の渦流浴装置にも適用可能である。
【符号の説明】
【００５４】
１・・・渦流浴装置
１０・・・第１槽
１０ｄ・・・開口部
１３・・・ヒーター
２０・・・第２槽
５０・・・循環部
５１・・・ポンプ
５１ａ・・・吸込口
５２ｂ・・・吐出口
５２・・・切替弁
５２ａ・・・入口
５２ｂ・・・第１出口
５２ｃ・・・第２出口
５３・・・第１配管
５４・・・第２配管
５５・・・第３配管
５６・・・第４配管
５７・・・空気配管
６０・・・制御部
７０・・・報知音出力部
４２１・・・第１時間表示部
４２２・・・第２時間表示部              
【図１】
2018075238.tif 000003
【図２】
2018075238.tif 000004
【図３】
2018075238.tif 000005
【図４】
2018075238.tif 000006
【図５】
2018075238.tif 000007
【図６】
2018075238.tif 000008
【図７】
2018075238.tif 000009